(57)【要約】【課題】整流板の下面、上面に加熱調理時に発生した油煙等が触れることで付着した油脂分を取り除き、汚れのない状態とする作業が簡単にできるレンジフードとする。【解決手段】フード２と、前記フード２の下面に取り付けられ、前記下面との間に空気入り口６を形成する整流板３と、送風機５を備え、前記送風機５を駆動することで前記空気入り口６から油煙等を吸い込み、排出するレンジフードであって、前記整流板３の下面３ｂと上面３ｃに、不燃性シート１０を取り外し可能にそれぞれ取り付け、前記不燃性シート１０を取り外して、新しい不燃性シート１０を取り付ける簡単な作業で、整流板３の下面３ｂ、上面３ｃに付着した油脂分を取り除き、汚れのない状態にできるレンジフード。【選択図】図１
2018054185.tif 000002
【特許請求の範囲】
【請求項１】
フードと、前記フードの下面に取り付けられ、前記下面との間に空気入り口を形成する整流板と、送風機を備え、前記送風機を駆動することで前記空気入り口から油煙等を吸い込み、排出するレンジフードであって、
前記整流板の下面と上面に、不燃性シートを取り外し可能にそれぞれ取り付けたことを特徴とするレンジフード。
【請求項２】
フードと、前記フードの下面に取り付けられ、前記下面との間に空気入り口を形成する整流板と、送風機を備え、前記送風機を駆動することで前記空気入り口から油煙等を吸い込み、排出するレンジフードであって、
前記フードの下面における前記整流板の上面と対向した面に、不燃性シートを取り外し可能に取り付けたことを特徴とするレンジフード。
【請求項３】
フードと、送風機を備え、前記送風機を駆動することで油煙等を吸い込み、排出するレンジフードであって、
前記フードの下面に、前記送風機の吸気孔に連通する開口部を設け、前記フードの下面における油煙等が前記開口部まで流れる全ての面に、不燃性シートを取り外し可能に取り付けたことを特徴とするレンジフード。
【請求項４】
フードと、送風機を備え、前記送風機を駆動することで油煙等を吸い込み、排出するレンジフードであって、
前記フードの天面に、不燃性シートを取り外し可能に取り付けたことを特徴とするレンジフード。
【請求項５】
フードと、前記フード内に取り付けたフィルタと、送風機を備え、前記送風機を駆動することで油煙等を前記フード内に吸い込み、前記フィルタで前記油煙等の油脂分を除去して排出するレンジフードであって、
前記フードの油煙等がフィルタまで流れる内面に、不燃性シートを取り外し可能に取り付けたことを特徴とするレンジフード。
【請求項６】
下面が略平坦な面からなるフードと、送風機を備え、前記送風機を駆動することで油煙等を吸い込み、排出するレンジフードであって、
前記フードの下面に、前記送風機の吸気孔に連通する開口部を設け、前記フードの下面における油煙等が前記開口部まで流れる面に、不燃性シートを取り外し可能に取り付けたことを特徴とするレンジフード。
【発明の詳細な説明】
【技術分野】
【０００１】
本発明は、加熱調理時に発生した油煙等を屋外などに排出するレンジフードに関する。
【背景技術】
【０００２】
従来から多種のレンジフードが提案されている。例えば、特許文献１に開示されたように、フードと、フード内に取り付けた整流板と、送風機と、フィルタを備えたレンジフードが提案されている。
このレンジフードは、送風機を駆動することで加熱調理時に発生した油煙等をフード内面と整流板との隙間からフード内に捕集する。捕集した油煙等はフィルタを通ることで油脂分が除去され、油脂分の少ない空気として屋外に排出する。
【先行技術文献】
【特許文献】
【０００３】
【特許文献１】特許第５７７７９６３号公報
【発明の概要】
【発明が解決しようとする課題】
【０００４】
従来のレンジフードは、加熱調理時に発生した油煙等が触れる部分に、その油煙等の油脂分が付着して汚れることがある。油脂分が付着して汚れると見栄えが悪い等の不具合が生じる。
そこで従来は、その付着した油脂分を使用者が手作業により取り除き、汚れのない元の状態としている。
しかし、レンジフードは高い場所に取り付けてあるので、付着した油脂分を取り除くことは困難な作業であり、しかも取り除いた油脂分がレンジフードの周囲下方に落下散乱するので、付着した油脂分を除去した後にレンジフードの周囲下方を清掃しなければならない。
したがって、付着した油脂分を取り除き、汚れのない状態とする作業は大変面倒である。
【０００５】
本発明は、上記の課題を解決するためになされたもので、その目的は、加熱調理時に発生した油煙等が触れることで付着した油脂分を取り除き、汚れのない状態とする作業が簡単にできるようにしたレンジフードを提供することである。
【課題を解決するための手段】
【０００６】
本発明の第１のレンジフードは、フードと、前記フードの下面に取り付けられ、前記下面との間に空気入り口を形成する整流板と、送風機を備え、前記送風機を駆動することで前記空気入り口から油煙等を吸い込み、排出するレンジフードであって、前記整流板の下面と上面に、不燃性シートを取り外し可能にそれぞれ取り付けたことを特徴とするレンジフードである。
【０００７】
本発明の第２のレンジフードは、フードと、前記フードの下面に取り付けられ、前記下面との間に空気入り口を形成する整流板と、送風機を備え、前記送風機を駆動することで前記空気入り口から油煙等を吸い込み、排出するレンジフードであって、前記フードの下面における前記整流板の上面と対向した面に、不燃性シートを取り外し可能に取り付けたことを特徴とするレンジフードである。
【０００８】
本発明の第３のレンジフードは、フードと、送風機を備え、前記送風機を駆動することで油煙等を吸い込み、排出するレンジフードであって、前記フードの下面に、前記送風機の吸気孔に連通する開口部を設け、前記フードの下面における油煙等が前記開口部まで流れる全ての面に、不燃性シートを取り外し可能に取り付けたことを特徴とするレンジフードである。
【０００９】
本発明の第４のレンジフードは、フードと、送風機を備え、前記送風機を駆動することで油煙等を吸い込み、排出するレンジフードであって、前記フードの天面に、不燃性シートを取り外し可能に取り付けたことを特徴とするレンジフードである。
【００１０】
本発明の第５のレンジフードは、フードと、前記フード内に取り付けたフィルタと、送風機を備え、前記送風機を駆動することで油煙等を前記フード内に吸い込み、前記フィルタで前記油煙等の油脂分を除去して排出するレンジフードであって、前記フードの油煙等がフィルタまで流れる内面に、不燃性シートを取り外し可能に取り付けたことを特徴とするレンジフードである。
【００１１】
本発明の第６のレンジフードは、下面が略平坦な面からなるフードと、送風機を備え、前記送風機を駆動することで油煙等を吸い込み、排出するレンジフードであって、前記フードの下面に、前記送風機の吸気孔に連通する開口部を設け、前記フードの下面における油煙等が前記開口部まで流れる面に、不燃性シートを取り外し可能に取り付けたことを特徴とするレンジフードである。
【発明の効果】
【００１２】
本発明の第１のレンジフードによれば、加熱調理時に発生した油煙等の油脂分は整流板の下面と上面に取り付けた不燃性シートに付着するので、その不燃性シートを取り外し、新しい不燃性シートを取り付けることで、油脂分が付着していない状態となる。
したがって、整流板の下面、上面に加熱調理時に発生した油煙等が触れることで付着した油脂分を取り除き、汚れのない状態とする作業が簡単にできる。
本発明の第２のレンジフードによれば、加熱調理時に発生した油煙等の油脂分はフードの下面における整流板の上面と対向した面に取り付けた不燃性シートに付着するので、その不燃性シートを取り外し、新しい不燃性シートを取り付けることで、油脂分が付着していない状態となる。
したがって、フードの下面における整流板の上面と対向した面に加熱調理時に発生した油煙等が触れることで付着した油脂分を取り除き、汚れのない状態とする作業が簡単にできる。
【００１３】
本発明の第３のレンジフードによれば、加熱調理時に発生した油煙等の油脂分は、フードの下面における油煙等が開口部まで流れる全ての面に取り付けた不燃性シートに付着するので、その不燃性シートを取り外し、新しい不燃性シートを取り付けることで、油脂分が付着していない状態となる。
したがって、フードの下面における油煙等が開口部まで流れるすべての面に加熱調理時に発生した油煙等が触れることで付着した油脂分を取り除き、汚れのない状態とする作業が簡単にできる。
【００１４】
本発明の第４のレンジフードによれば、加熱調理時に発生した油煙等の一部がフードの上方に流れた際、その油煙等の油脂分はフードの天面に取り付けた不燃性シートに付着するので、その不燃性シートを取り外し、新しい不燃性シートを取り付けることで、フードの天面は油脂分が付着していない状態となる。
したがって、フードの天面に加熱調理時に発生した油煙等が触れることで付着した油脂分を取り除き、汚れのない状態とする作業が簡単にできる。
本発明の第５のレンジフードによれば、加熱調理時に発生した油煙等の油脂分はフードの油煙等がフィルタまで流れる内面に取り付けた不燃性シートに付着するので、その不燃性シートを取り外し、新しい不燃性シートを取り付けることで、フードの油煙等がフィルタまで流れる内面は油脂分が付着していない状態となる。
したがって、フードの油煙等がフィルタまで流れる内面に加熱調理時に発生した油煙等が触れることで付着した油脂分を取り除き、汚れのない状態とする作業が簡単にできる。
【００１５】
本発明の第６のレンジフードによれば、加熱調理時に発生した油煙等の油脂分は、フードの下面における油煙等が開口部まで流れる面に取り付けた不燃性シートに付着するので、その不燃性シートを取り外し、新しい不燃性シートを取り付けることで、油脂分が付着していない状態となる。
したがって、フードの下面における油煙等が開口部まで流れる面に加熱調理時に発生した油煙等が触れることで付着した油脂分を取り除き、汚れのない状態とする作業が簡単にできる。
また、フードの下面が略平坦であるため、不燃性シートを折り曲げる等の特別な作業を加えることなく新しい不燃性シートを取り付けることが可能であり、取り付け作業を容易に行うことができる。
【図面の簡単な説明】
【００１６】
【図１】本発明のレンジフードの第１の実施形態を示す断面図である。
【図２】図１のレンジフードに示す整流板の拡大断面図である。
【図３】不燃性シートの実施の形態を示す一部拡大断面図である。
【図４】取付手段の第１の実施の形態を示す一部拡大断面図である。
【図５】取付手段の第２の実施の形態を示す一部拡大断面図である。
【図６】本発明のレンジフードの第２の実施形態を示す断面図である。
【図７】図６のレンジフードに示す不燃性シートの平面図である。
【図８】本発明のレンジフードの第３の実施形態を示す断面図である。
【図９】本発明のレンジフードの第４の実施形態を示す断面図である。
【図１０】本発明のレンジフードの第５の実施形態を示す断面図である。
【図１１】本発明のレンジフードの第６の実施形態を示す断面図である。
【図１２】フードに整流板を取り付けた状態の斜視図である。
【図１３】フードから整流板を取り外した状態の斜視図である。
【発明を実施するための形態】
【００１７】
本発明の第１の実施形態を図１、図２に基づき説明する。
図１はレンジフードの断面図、図２は整流板の拡大断面図である。
レンジフード１は、フード２と、フード２に取り付けた整流板３と、フィルタ４と、送風機５を備えている。
フード２は天面板２０と、天面板２０の周縁と連続し下方に向かう周面板２１と、周面板２１の下端縁と連続した下面板２２とで囲まれた上下寸法（高さ）が短い扁平な矩形箱状である。つまり、図１に示すレンジフード１は薄型レンジフードで、整流板３を備えている。
フード２の下面板２２がフード２の下面で、その下面に整流板３が取り付けられ、フード２の下面と整流板３との間に空気入り口６を形成している。
図１に示すレンジフード１は、フード２の下面板２２は凹部２３を有する。凹部２３は下面板２２から天面板２０に向かう縦向き面２３ａと、縦向き面２３ａの上端縁と連続し天面板２０と平行の横向き面２３ｂとで下部が開口した下向き皿形状である。
【００１８】
つまり、フード２の下面は凹部２３を有する。
凹部２３の横向き面２３ｂに開口部２４が形成されている。横向き面２３ｂにフィルタ４が取り外し可能に取り付けてあり、フィルタ４で開口部２４を覆っている。
整流板３はフード２の凹部２３内にフィルタ４と対向して取り外し可能に取り付けてある。整流板３を取り外してフィルタ４を取り付け、取り外しする。
整流板３は凹部２３の縦向き面２３ａの内面の大きさよりも小さく、凹部２３の縦向き面２３ａの内面と整流板３の外周面３ａとの間に隙間がある。その隙間がフード２の空気入り口６である。空気入り口６は開口部２４と連通している。
【００１９】
送風機５は、送風機ボックス５０内に設けたハウジング５１と、ハウジング５１内に設けたファン５２と、ファン５２を回転するモータ５３を有している。
送風機ボックス５０が、フード２の天面板２０に取り付けられ、ハウジング５１の吸気孔５１ａが送風機ボックス５０の穴５０ａを通して天面板２０の穴２０ａと連通している。天面板２０の穴２０ａは凹部２３の横向き面２３ｂに形成した開口部２４と連通している。ハウジング５１の排気孔５１ｂは排気ダクト５４に連通している。
これにより、ファン５２が回転することで、フィルタ４を通過した空気が天面板２０の穴２０ａ、送風機ボックス５０の穴５０ａを経てハウジング５１の吸気孔５１ａに吸引され、ハウジング５１の排気孔５１ｂから排気ダクト５４に排出される。つまり、開口部２４は空気入り口６と送風機５の吸気孔５１ａを連通する。
【００２０】
次に、レンジフード１の動作を説明する。
加熱調理時にモータ５３でファン５２を回転して送風機５を駆動する。
これにより、加熱調理時に発生した油煙等は空気入り口６からフード２の凹部２３内に吸い込まれ、油煙等の油脂分がフィルタ４で除去され、油脂分を含まない空気が排気ダクト５４から屋外等に排出される。
このようにレンジフード１が動作する時に、加熱調理時に発生した油煙等が整流板３の加熱調理器に向かう下面３ｂ（裏側）に直接触れると共に、空気入り口６から凹部２３に流入した油煙等が整流板３のフィルタ４に向かう上面３ｃ（内側）に触れる。また、送風機５やフィルタ４で捕獲した油脂分が整流板３の上面３ｃに滴下することがある。
したがって、整流板３の下面３ｂ、上面３ｃに油煙等の油脂分が付着して汚れてしまう。
【００２１】
従来は、整流板３の下面３ｂに付着した油脂分をふき取りするなどして取り除いて汚れのない状態とし、整流板３をフード２から取り外して上面３ｃに付着した油脂分をふき取りするなどして取り除き、汚れのない状態としている。
しかしながら、整流板３の下面３ｂ、上面３ｃに付着した油脂分を取り除く作業は大変面倒である。
そこで、第１の実施形態では、図２に示すように、整流板３の下面３ｂと上面３ｃに不燃性シート１０を、図示しない取付手段により取り外し可能にそれぞれ取り付け、整流板３の下面３ｂの全面と上面３ｃの全面を不燃性シート１０でそれぞれ被覆し、油煙等の油脂分が整流板３の下面３ｂ、上面３ｃに付着しないようにした。
不燃性シート１０とは、不燃性で、かつ油脂分が透過せずに表面に付着する材質のシート材である。
【００２２】
このようにしたことで、加熱調理時に発生した油煙等の油脂分は整流板３の下面３ｂ、上面３ｃに取り付けた不燃性シート１０に付着し、不燃性シート１０が汚れる。
そして、汚れた不燃性シート１０を整流板３の下面３ｂ、上面３ｃから取り外し、新しい不燃性シート１０を整流板３の下面３ｂ、上面３ｃに取り付けることで、整流板３の下面３ｂ、上面３ｃは付着した油脂分が取り除かれ、汚れのない状態となる。
したがって、整流板３の下面３ｂ、上面３ｃに付着した油脂分を取り除き、汚れのない状態とする作業が簡単である。
なお、整流板３をフード２に取り付けた状態で不燃性シート１０を整流板３の下面３ｂ、上面３ｃに取り付け、取り外しすることが可能であるが、整流板３をフード２から取り外した方が不燃性シート１０を整流板３の下面３ｂ、上面３ｃに取り付け、取り外しする作業がやり易い。
【００２３】
この実施形態の不燃性シート１０は、図３に示すように、不燃紙１１と、不燃紙１１の表面に設けた金属箔１２とを備え、薄く軽量で可撓性を有するシートで、不燃紙１１を整流板３の下面３ｂ、上面３ｃに取り付け、油脂分が金属箔１２の表面に付着するようにしてある。図３に示す不燃性シート１０は金属箔１２の表面に油吸着マット１３を設け、油脂分が付着しやすいようにしてある。なお、油吸着マット１３は設けなくとも良い。また、不燃紙１１を設けず、金属箔１２と油吸着マット１３の二層であっても良い。
これにより、不燃性シート１０は簡単にとり扱いできるから整流板３への取り付け、取り外しが容易である。しかも不燃性シート１０は人の手により容易に丸めることができるので、使用済みの不燃性シート１０を簡単に廃棄できる。
不燃性シート１０は図３に示すものに限ることはない。例えば、アルミホイル等の金属製フィルム、不燃性のプラスチックフィルム等とすることができる。
【００２４】
不燃性シート１０を整流板３に取り付ける取付手段としては、図４に示すように不燃性シート１０の取り付け側面１０ａに設けた粘着性物質、例えば接着材層１４がある。
この接着材層１４は不燃性シート１０の取り付け側面１０ａの全面に設けても良いし、不燃性シート１０の取り付け側面１０ａの一部分、例えば周縁部分に設けても良い。
取付手段を粘着性物質（接着材層１４）とした場合は、整流板３の下面３ｂ、上面３ｃの粘着性物質が貼りつく部分を粘着性物質が容易に剥離する状態とすることが好ましい。
【００２５】
不燃性シート１０を整流板３に取り付ける取付手段としては、図５に示すように不燃性シート１０の取り付け側面１０ａに設けた磁石１５がある。
この磁石１５は不燃性シート１０の取り付け側面１０ａの全面に設けても良いし、不燃性シート１０の取り付け側面１０ａの一部分、例えば周縁部分に設けても良い。
また、磁石１５は不燃性シート１０の取り付け側面１０ａと反対側の面、つまり油煙等が触れる裏面側に設けても良い。すなわち、磁石１５は不燃性シート１０を介在して整流板３に吸着され、不燃性シート１０は磁石１５と整流板３とで挟まれるようにして取り付けられていても良い。
整流板３の下面３ｂ、上面３ｃが磁石１５が吸着しない材質の場合は、整流板３の下面３ｂ、上面３ｃに磁石が吸着する部材を取り付ける。
【００２６】
不燃性シート１０を整流板３に取り付ける取付手段としては、図示は省略するが、不燃性シート１０の取り付け側面１０ａに係止部を設け、整流板３の下面３ｂ、上面３ｃに係止受け部を設け、係止部を係止受け部に係合して取り付けることで不燃性シート１０を取り付けるものとすることができる。
また、静電気を利用して不燃性シート１０を取り付けることも可能である。具体的には、不燃性シート１０を、取付け側面１０ａの全面または一部分に静電気が帯電したものとする。もしくは、整流板３の下面３ｂと上面３ｃに電気を流して静電気を発生させることで、不燃性シート１０を貼りつけることも可能である。
また、静電気による取り付けは、不燃性シート１０を剥がしたときに粘着性物質が残ることがない。
【００２７】
本発明の第２の実施形態を図６と図７に基づき説明する。
図６はレンジフードの断面図、図７は不燃性シートの正面図である。
レンジフード１は、第１の実施形態のレンジフード１と同様に、フード２、整流板３、フィルタ４、送風機５を備えている。
このレンジフード１は、送風機５を駆動することで油煙等が空気入り口６から吸引され、フード２の凹部２３の横向き面２３ｂと整流板３の上面３ｃとの間の流路７を通りフィルタ４に流れるので、フィルタ４の周辺、すなわち凹部２３の横向き面２３ｂにおける整流板３と対向した部分、すなわち、整流板３の外周を鉛直方向に延ばした線に囲まれた範囲に油煙等の油脂分が著しく付着する。つまり、フード２の凹部２３の整流板３の上面３ｃと対向した面に油脂分が多く付着する。
【００２８】
そこで、図６に示すように凹部２３の横向き面２３ｂにおける整流板３の上面３ｃと対向した部分に不燃性シート１０を、取付手段で取り外し可能に取り付けした。
不燃性シート１０は図７に示すように整流板３の平面の大きさと同じ大きさで、凹部２３の横向き面２３ｂに形成されている開口部２４と同じ大きさの穴１０ｂを有している。
このようにしたことで、加熱調理時に発生した油煙等の油脂分は凹部２３の横向き面２３ｂにおける整流板３の上面３ｃと対向した面に取り付けた不燃性シート１０に付着し、不燃性シート１０が汚れる。
そして、汚れた不燃性シート１０を凹部２３の横向き面２３ｂから取り外し、新しい不燃性シート１０を凹部２３の横向き面２３ｂに取り付けることで、凹部２３の横向き面２３ｂにおける整流板３の上面３ｃと対向した面は付着した油脂分が取り除かれ、汚れのない状態となる。
【００２９】
したがって、フード２の凹部２３の横向き面２３ｂにおける整流板３の上面３ｃと対向した面に付着した油脂分を取り除き、汚れのない状態とする作業が簡単である。
なお、整流板３をフード２に取り付けた状態で不燃性シート１０を凹部２３の横向き面２３ｂにおける整流板３の上面３ｃと対向した面に取り付け、取り外しすることが可能であるが、整流板３をフード２から取り外した方が不燃性シート１０を凹部２３の横向き面２３ｂにおける整流板３の上面３ｃと対向した面に取り付け、取り外しする作業がやり易い。また、整流板３の上面３ｃと対向した面は、凹凸部を有さない略平坦な面であることが好ましい。このようにすることで、不燃性シート１０を整流板３の上面３ｃと対向した面の形状に合わせて折り曲げる等の特別な作業を加えることなく新しい不燃性シート１０を取り付けることが可能であり、取り付け作業を容易に行うことができる。
この実施形態の不燃性シート１０、取付手段は第１の実施形態の不燃性シート１０、取付手段と同様である。
【００３０】
本発明の第３の実施形態を図８に基づき説明する。
図８はレンジフードの断面図である。
レンジフード１は、第１の実施形態のレンジフード１と同様に、フード２、整流板３、フィルタ４、送風機５を備えている。
このレンジフード１は、送風機５を駆動することで油煙等が空気入り口６から吸引され、吸引された油煙等はフード２の凹部２３の縦向き面２３ａと横向き面２３ｂに沿って整流板３の上面３ｃと横向き面２３ｂとの間の流路７を通りフィルタ４を取り付けた開口部２４に流れるので、凹部２３の縦向き面２３ａ、横向き面２３ｂに油煙等の油脂分が付着する。つまり、フード２の凹部２３における油煙等がフィルタ４を取り付けた開口部２４まで流れる内面に油脂分が付着する。
【００３１】
そこで、図８に示すように凹部２３の縦向き面２３ａと横向き面２３ｂに不燃性シート１０を、取付手段で取り外し可能に取り付けした。
このようにしたことで、加熱調理時に発生した油煙等の油脂分は凹部２３の縦向き面２３ａと横向き面２３ｂに取り付けた不燃性シート１０に付着し、不燃性シート１０が汚れる。
そして、汚れた不燃性シート１０を凹部２３の縦向き面２３ａ、横向き面２３ｂから取り外し、新しい不燃性シート１０を凹部２３の縦向き面２３ａ、横向き面２３ｂに取り付けることで、凹部２３の縦向き面２３ａ、横向き面２３ｂは付着した油脂分が取り除かれ、汚れのない状態となる。
したがって、フード２の凹部２３の縦向き面２３ａ、横向き面２３ｂ、つまりフード２における油煙等がフィルタ４を取り付けた開口部２４まで流れる内面に付着した油脂分を取り除き、汚れのない状態とする作業が簡単である。
【００３２】
なお、整流板３をフード２に取り付けた状態で不燃性シート１０を凹部２３の縦向き面２３ａ、横向き面２３ｂに取り付け、取り外しすることが可能だが、整流板３をフード２から取り外した方が不燃性シート１０を凹部２３の縦向き面２３ａ、横向き面２３ｂに取り付け、取り外しする作業がやり易い。
この実施形態の不燃性シート１０、取付手段は第１の実施形態の不燃性シート１０、取付手段と同様である。
【００３３】
本発明の第４の実施形態を図９に基づき説明する。
図９はレンジフードの断面図である。
レンジフード１は、第１の実施形態のレンジフード１と同様に、フード２、整流板３、フィルタ４、送風機５を備えている。
このレンジフード１は、送風機５を駆動することで油煙等が空気入り口６から吸引され、フード２の凹部２３の横向き面２３ｂと整流板３の上面３ｃとの間の流路７を通りフィルタ４に流れるが、油煙等の一部が空気入り口６から吸引されずにフード２の上方に流れることがある。
フード２の上方に流れた油煙等の油脂分はフード２の天面板２０の上面２０ｂ、つまりフード２の天面２ａに付着する。
【００３４】
フード２の天面板２０は高い位置であるので上面２０ｂに油脂分が付着して汚れても美観的にはあまり問題にならない。
しかし、室内で猫を飼っている場合、猫が室内に入り込んだ場合には、猫がフード２の天面板２０の上面２０ｂにのぼり、天面板２０の上面２０ｂ上を歩くことがある。この際に、猫の足が油脂分で汚れることがある。足の汚れた猫が室内を歩くと室内が汚れることがある。
そこで、図９に示すようにフード２の天面板２０の上面２０ｂに不燃性シート１０を、取付手段で取り外し可能に取り付けした。なお、フード２の天面板２０の上面２０ｂに幕板が設けてある場合は幕板よりも手前側に不燃性シート１０を取り付ける。
このようにしたことで、加熱調理時に発生した油煙等がフード２の上方に流れた際に、その油煙等の油脂分は天面板２０の上面２０ｂに取り付けた不燃性シート１０に付着し、不燃性シート１０が汚れる。
【００３５】
そして、汚れた不燃性シート１０をフード２の天面板２０の上面２０ｂから取り外し、新しい不燃性シート１０を天面板２０の上面２０ｂに取り付けることで、フード２の天面板２０の上面２０ｂは付着した油脂分が取り除かれ、汚れのない状態となる。
したがって、フード２の天面板２０の上面２０ｂ、つまりフード２の天面２ａに付着した油脂分を取り除き、汚れのない状態とする作業が簡単である。
この実施形態の不燃性シート１０、取付手段は第１の実施形態の不燃性シート１０、取付手段と同様である。
【００３６】
本発明の第５の実施形態を図１０に基づき説明する。
図１０はレンジフードの断面図である。
レンジフード１は、フード２、フィルタ４、送風機５を備えている。フード２は天面板２０と周面板２１とで下面が解放した箱形状で、フード２の下の開口部が空気入り口６である。フード２の上下寸法（高さ）は第１の実施の形態のレンジフード１のフード２の高さよりも高い。つまり図１０に示すレンジフード１は深型レンジフードで、整流板を備えていない。
フード２の内部は仕切り板２５で手前側（図１０の左側）の吸引側部２ｂと奥側（図１０の右側）の排出側部２ｃに区画されている。吸引側部２ｂは天面板２０の手前側内側面２０ｃと周面板２１の手前側内側面２１ａと仕切り板２５の手前側面２５ａで形成されている。
【００３７】
排出側部２ｂは天面板２０の奥側内側面２０ｄと周面板２１の奥側内側面２１ｂと仕切り板２５の奥側面２５ｂで形成されている。
仕切り板２５は開口部２６を有している。仕切り板２５にフィルタ４が開口部２６を覆うように取り付けてある。
フード２の排出側部２ｃに送風機５が設けてある。
このレンジフード１は、送風機５を駆動することで油煙等が空気入り口６からフード２の吸引側部２ｂに流れ、フィルタ４を通して排出側部２ｃに流れて送風機５で排気ダクト５４から排出される。このためにフード２の吸引側部２ｂを形成する天面板２０の手前側内側面２０ｃ、周面板２１の手前側内側面２１ａ、仕切り板２５の手前側面２５ａに油煙等の油脂分が付着する。つまり、フード２における油煙等がフィルタ４まで流れる内面に油脂分が付着する。
【００３８】
そこで、図１０に示すように、フード２の吸引側部２ｂを形成する天面板２０の手前側内側面２０ｃ、周面板２１の手前側内側面２１ａ、仕切り板２５の手前側面２５ａに不燃性シート１０を、取付手段で取り外し可能に取り付けした。
このようにしたことで、加熱調理時に発生した油煙等の油脂分は不燃性シート１０に付着し、不燃性シート１０が汚れる。
そして、汚れた不燃性シート１０を天面板２０の手前側内側面２０ｃ、周面板２１の手前側内側面２１ａ、仕切り板２５の手前側面２５ａから取り外し、新しい不燃性シート１０を天面板２０の手前側内側面２０ｃ、周面板２１の手前側内側面２１ａ、仕切り板２５の手前側面２５ａに取り付けることで、フード２の吸引側部２ｂを形成する面、つまり油煙等がフィルタ４まで流れる内面は、付着した油脂分が取り除かれ、汚れのない状態となる。
この実施形態の不燃性シート１０、取付手段は第１の実施形態の不燃性シート１０、取付手段と同様である。
【００３９】
本発明の第６の実施形態を図１１、図１２、図１３に基づき説明する。
図１１はレンジフードの断面図、図１２はフードに整流板を取り付けた状態の斜視図、図１３はフードから整流板を取り外した状態の斜視図である。
レンジフード１は、第１の実施形態のレンジフード１と同様に、フード２、整流板３、フィルタ４、送風機５を備えている。
フード２の下面板２２は凹凸のない板状で、下面板２２には開口部２４が形成してある。開口部２４は送風機５の吸気孔５１ａに連通している。つまり、フード２の下面は略平坦な面で、送風機５の吸気孔５１ａに連通した開口部２４を有している。
フード２の下面板２２における開口部２４より手前側の位置には照明用開口部２７が形成してある。フード２の内部には照明具８が照明用開口部２７と対向して設けられ、照明具８は照明用開口部２７からフード２の下方を照らす。
【００４０】
整流板３は、フード２の下面板２２に整流板取付部材３０で取り付け、取り外し可能に取り付けてある。整流板３はフード２の下面板２２と略平行で、両者の間に流路７を形成している。整流板３は照明用開口部２７より奥側に位置し、照明具８による照明を妨げないようにしてある。
整流板取付部材３０は、下面板２２に設けたフード側部材３０ａと整流板３の上面３ｃに設けた整流板側部材３０ｂを備えている。
フード側部材３０ａは下面板２２における手前側に設けた一対のラッチ３１と、下面板２２における奥側に設けた一対の係止受け片３２を有している。
整流板側部材３０ｂは、整流板３の上面３ｃにおける手前側に設けた一対のラッチ受け３３と、整流板３の上面３ｃにおける奥側に設けた一対の係止片３４を有している。
以上の説明における手前側とは図１１で左側で、奥側とは図１１で右側である。
【００４１】
整流板３を手前側が下で、奥側が上となるように水平に対して斜めの姿勢とし、係止片３４を係止受け片３２に係止した状態で、整流板３を水平の姿勢としてラッチ受け３３をラッチ３１に係合することで整流板３をフード２の下面板２２に取り付ける。これと反対の操作で整流板３をフード２の下面板２２から取り外しする。
フィルタ４は、取り付け、取り外しするための摘み４０を有している。
フード２の下面板２２（下面）における油煙等が開口部２４まで流れる面に不燃性シート１０が取付手段で取り外し可能に取り付けしてある。この実施形態の不燃性シート１０は、不燃性シート１０をフード２の下面板２２に取り付けた際に下面板２２の開口部２４に適応する位置に設けた開口部用孔部１６と、不燃性シート１０をフード２の下面板２２に取り付けた際に下面板２２の照明用開口部２７に適応する位置に設けた照明用孔部１７と、不燃性シート１０を下面板２２に取り付けた際に下面板２２に設けたフード側部材３０ａに適応する位置に設けた整流板取付用孔部１８を有している。
【００４２】
整流板取付用孔部１８は図１３に示すように、ラッチ用孔部１８ａと係止受け片用孔部１８ｂを有する。
開口部用孔部１６は開口部２４よりも大きい、または略同じ大きさとする。これにより不燃性シート１０は開口部２４を流れる油煙等の妨げにならない。
照明用孔部１７は照明用開口部２７より大きい、または略同じ大きさとする。これにより不燃性シート１０が照明用開口部２７を通る照明の妨げにならない。
整流板取付用孔部１８はフード側部材３０ａより大きい、または略同じ大きさとする。これにより不燃性シート１０を取り付け、取り外しする時にフード側部材３０ａが邪魔にならない。例えば、ラッチ用孔部１８ａはラッチ３１より大きい、または略同じ大きさとする。係止受け片用孔部１８ｂは係止受け片３２より大きい、または略同じ大きさとする。
この実施形態の不燃性シート１０、取付手段は第１の実施形態の不燃性シート１０、取付手段と同様である。
【００４３】
このようにしたことで、加熱調理時に発生した油煙等の油脂分はフード２の下面板２２に取り付けた不燃性シート１０に付着し、不燃性シート１０が汚れる。
そして、汚れた不燃性シート１０を取り外し、新しい不燃性シート１０を下面板２２に取り付けることで、下面板２２は付着した油脂分が取り除かれ、汚れのない状態となる。
したがって、フード２の下面板２２、つまりフード２の下面における油煙等が開口部２４まで流れる面に付着した油脂分を取り除き、汚れのない状態とする作業が簡単である。
また、フード２の下面が略平坦であるため、不燃性シート１０を折り曲げる、湾曲させる等の特別な作業を加えることなく新しい不燃性シート１０を取り付けることが可能であり、取り付け作業を容易に行うことができる。
【００４４】
本発明のレンジフードの形状は、第１の実施形態から第４の実施形態、および第６の実施形態では薄型レンジフードとし、第５の実施形態では深型レンジフードとしたが、レンジフードの形状はこれらに限ることはなく、他の形状のレンジフードとすることができる。
例えば、フードを側面から見た形状が略三角形状であるファルコン型レンジフード、フードの形状が直方体であるスクエア型レンジフード、送風機がフードに内蔵されている平型レンジフード、調理台の天面に設けられる下引きレンジフードであっても良い。
また、本発明は、レンジフードの機能と照明の機能を有した空気清浄機能付き照明具にも適用させることができる。つまり、レンジフードの機能を有する部分に本発明のレンジフードを適用する。
【００４５】
第１の実施形態から第４の実施形態の薄型レンジフードでは、下面に凹部２３を有するフード２を用いているが、これに限ることはなく、他の形状のフードを用いることができる。
例えば、下面の一部に凸部がある形状のフードを用いることもできる。
第１の実施形態から第４の実施形態および第６の実施形態はフィルタ４を備えたレンジフードであるが、フィルタがないフィルタレスのレンジフードにも本発明を適用させることができる。
また、第３の実施形態、第４の実施形態、および第６の実施形態では、フード２の下面に整流板３を備えたレンジフードを用いているが、これに限ることはなく、整流板３を備えていないレンジフードを用いることもできる。
第１の実施形態から第６の実施形態では、１枚の不燃性シート１０をフード２の下面や天面、整流板３に取り付けるように説明したが、１枚であると大きな不燃性シート１０となり保管に不便であるため、不燃性シート１０は分割されていても良い。例えば、４分割された不燃性シート１０をそれぞれ所定の箇所に取り付けるようにしても良い。これにより、保管の際にかさばらず、さらに小さいサイズの不燃性シート１０の取り付けになるため、取り付けの作業性が良い。
【符号の説明】
【００４６】
１…レンジフード、２…フード、２ａ…天面、２ｂ…吸引側部、２ｃ…排出側部、３…整流板、３ｂ…下面、３ｃ…上面、４…フィルタ、５…送風機、６…空気入り口、７…流路、１０…不燃性シート、２０…天面板、２２…下面板、２３…凹部、２３ａ…縦向き面、２３ｂ…横向き面。
【図１】
2018054185.tif 000003
【図２】
2018054185.tif 000004
【図３】
2018054185.tif 000005
【図４】
2018054185.tif 000006
【図５】
2018054185.tif 000007
【図６】
2018054185.tif 000008
【図７】
2018054185.tif 000009
【図８】
2018054185.tif 000010
【図９】
2018054185.tif 000011
【図１０】
2018054185.tif 000012
【図１１】
2018054185.tif 000013
【図１２】
2018054185.tif 000014
【図１３】
2018054185.tif 000015